【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
ネットワークサービスを認証および認可するためのシステムであって、該システムはモバイル機器を有し、
該モバイル機器は、少なくともひとつのネットワークアクセスタイプを示す情報メッセージを受けてネットワークアクセスタイプを判定し、
少なくともユーザＩＤを含む開始メッセージを作成し、
前記情報メッセージにおいて識別されるアクセスネットワークと互換性がある認証メッセージ内に前記開始メッセージをカプセル化するよう構成され、
さらに該システムは、カプセル化された前記メッセージを前記モバイル機器から読み出し、前記カプセル化されたメッセージを前記カプセル化されたメッセージにおいて識別される認証サーバに転送するアクセスコントローラをさらに備えるシステム。
【請求項２】
前記情報メッセージを発行するためのルータをさらに備え、前記情報メッセージがルータ通知を含む、請求項１に記載のシステム。
【請求項３】
前記情報メッセージが拡張認証プロトコル（ＥＡＰ）サポートを示す、請求項１に記載のシステム。
【請求項４】
前記アクセスコントローラが、前記モバイル機器がネットワークに入る際に前記情報メッセージを発行するように構成される、請求項１に記載のシステム。
【請求項５】
前記開始メッセージが、クライアント識別子オプションメッセージおよび拡張認証プロトコルサポート識別子オプションメッセージを含み、前記メッセージが、クライアントタイプ、ユーザＩＤ、コアアドレス情報のうち少なくともひとつに関する情報を含む、請求項１に記載のシステム。
【請求項６】
前記モバイル機器および前記アクセスネットワークの間のプロトコルが、ＵＤＰ、ＩＣＭＰｖ６、ＩＥＥＥ８０２．１ｘ、ＩＥＥＥ８０２．１１ｉ、およびブルートゥースプロファイルのうち少なくともひとつを備える、請求項１に記載のシステム。
【請求項７】
適用される認証機構が拡張認証プロトコル（ＥＡＰ）を備える、請求項１に記載のシステム。
【請求項８】
適用される認証機構が、携帯電話認証および音声暗号化（ＣＡＶＥ）アルゴリズムを適用するリムーバブルユーザ識別モジュール（Ｒ−ＵＩＭ）を使用する認証機構である、請求項１に記載のシステム。
【請求項９】
前記アクセスコントローラが、前記モバイル機器のホームエージェントに提供される、請求項１に記載のシステム。
【請求項１０】
ネットワークサービスを認証または認可するための方法であって、前記ネットワークはモバイル機器および認証制御機能を備え、
少なくともひとつのネットワークアクセスタイプを示す情報メッセージを受けて前記モバイル機器によりネットワークアクセスタイプを判定することと、
少なくともユーザＩＤを含む開始メッセージを作成することと、
前記情報メッセージにおいて識別されるアクセスネットワークと互換性がある認証メッセージ内に前記開始メッセージをカプセル化することと、
アクセスコントローラにより、カプセル化されたメッセージを前記モバイル機器から読み出し、前記カプセル化されたメッセージを前記カプセル化されたメッセージにおいて識別される認証サーバに転送することと、
を含む方法。
【請求項１１】
前記ネットワークが前記情報メッセージを発行するルータをさらに含み、前記情報メッセージがルータ通知を含む、請求項１０に記載の方法。
【請求項１２】
前記情報メッセージが拡張認証プロトコル（ＥＡＰ）サポートを示す、請求項１０に記載の方法。
【請求項１３】
前記情報メッセージが、前記モバイル機器が前記ネットワークに入る際に発行される、請求項１０に記載の方法。
【請求項１４】
前記開始メッセージが、クライアント識別子オプションメッセージおよび拡張認証プロトコルサポート識別子オプションメッセージを含み、これらがクライアントタイプ、ユーザＩＤ、コアアドレス情報のうち少なくともひとつに関する情報を含む、請求項１０に記載の方法。
【請求項１５】
前記モバイル機器および前記アクセスネットワークの間のプロトコルが、ＵＤＰ、ＩＣＭＰｖ６、ＩＥＥＥ８０２．１ｘ、ＩＥＥＥ８０２．１１ｉ、およびブルートゥースプロファイルのうち少なくともひとつを備える、請求項１０に記載の方法。
【請求項１６】
適用される認証機構が拡張認証プロトコル（ＥＡＰ）を備える、請求項１０に記載の方法。
【請求項１７】
適用される認証機構が、携帯電話認証および音声暗号化（ＣＡＶＥ）アルゴリズムを適用するリムーバブルユーザ識別モジュール（Ｒ−ＵＩＭ）を使用する認証機構を備える、請求項１０に記載の方法。
【請求項１８】
前記アクセスコントローラが、前記モバイル機器のホームエージェント（ＨＡ）に提供される、請求項１に記載の方法。
【請求項１９】
アクセスコントロール機器であって、
内部で開始メッセージがカプセル化されている認証メッセージであって、前記カプセル化されたメッセージで特定されるアクセスネットワークと互換性のある認証メッセージを受信するための受信手段と、
カプセル化されたメッセージを読み出すための処理手段と、
前記カプセル化されたメッセージを前記カプセル化されたメッセージにおいて識別される認証サーバに転送するための転送手段と、
を備えるアクセスコントロール機器。
【請求項２０】
前記開始メッセージが、クライアント識別子オプションメッセージおよび拡張認証プロトコルサポート識別子オプションメッセージを含み、前記メッセージが、クライアントタイプ、ユーザＩＤ、コアアドレス情報のうち少なくともひとつに関する情報を含む、請求項１９に記載のアクセスコントロール機器。
【請求項２１】
前記アクセスコントローラが、前記開始メッセージを送信したモバイル機器のホームエージェントに提供される、請求項１９に記載のアクセスコントロール機器。
【請求項２２】
情報メッセージを、少なくともひとつのネットワークアクセスタイプを示す加入者機器へ送信するための送信手段をさらに備える、請求項１９に記載のアクセスコントロール機器。
【請求項２３】
前記情報メッセージがルータ通知を含む、請求項２２に記載のアクセスコントロール機器。
【請求項２４】
前記情報メッセージが拡張認証プロトコル（ＥＡＰ）サポートを示す、請求項２２に記載のアクセスコントロール機器。
【請求項２５】
前記情報メッセージが、前記モバイル機器がネットワークに入る際に発行される、請求項２２に記載のアクセスコントロール機器。
【請求項２６】
少なくともひとつのネットワークアクセスタイプを示す情報メッセージを受けてネットワークアクセスタイプを判定するための判定手段と、
少なくともユーザＩＤを含む開始メッセージを作成するための作成手段と、
前記情報メッセージにおいて識別されるアクセスネットワークと互換性がある認証メッセージ内に前記開始メッセージをカプセル化するためのカプセル化手段と、
前記開始メッセージをアクセスコントロール機器に送信するための送信手段と、
を備える加入者機器。
【請求項２７】
前記加入者機器がモバイル機器である、請求項２６に記載の加入者機器。
【請求項２８】
前記情報メッセージが拡張認証プロトコル（ＥＡＰ）サポートを示す、請求項２６に記載の加入者機器。
【請求項２９】
前記情報メッセージが、前記加入者機器がネットワークに入る際に発行される、請求項２６に記載の加入者機器。
【請求項３０】
前記開始メッセージが、クライアント識別子オプションメッセージおよび拡張認証プロトコルサポート識別子オプションメッセージを含み、前記メッセージが、クライアントタイプ、ユーザＩＤ、コアアドレス情報のうち少なくともひとつに関する情報を含む、請求項２６に記載の加入者機器。
【請求項３１】
適用される認証機構が、携帯電話認証および音声暗号化（ＣＡＶＥ）アルゴリズムを適用するリムーバブルユーザ識別モジュール（Ｒ−ＵＩＭ）を使用する認証機構である、請求項２６に記載の加入者機器。
【請求項３２】
少なくともひとつのネットワークアクセスタイプを示す情報メッセージを作成するための作成手段と、
前記情報メッセージを加入者機器に送信するための送信手段と、
を備えるネットワークにおけるルータ機器。
【請求項３３】
前記情報メッセージがルータ通知を含む、請求項３２に記載のルータ機器。
【請求項３４】
前記情報メッセージが拡張認証プロトコル（ＥＡＰ）サポートを示す、請求項３２に記載のルータ機器。
【請求項３５】
前記情報メッセージが、前記モバイル機器がネットワークに入る際に発行される、請求項３２に記載のルータ機器。
【請求項３６】
前記ルータ機器がアクセスコントロール機器の一部である、請求項３２に記載のルータ機器。
【手続補正２】
【補正対象書類名】明細書
【補正対象項目名】００２３
【補正方法】変更
【補正の内容】
【００２３】
本発明は、アクセスコントロール機器であって、内部に開始メッセージがカプセル化されている認証メッセージを受信するための受信手段と、カプセル化されたメッセージを読み出すための処理手段と、前記カプセル化されたメッセージを前記カプセル化されたメッセージにおいて識別された認証サーバに転送するための転送手段とを備えるアクセスコントロール機器も提案する。